(57)【要約】      （修正有）【課題】切断の粉塵によって動作不良が発生し難くした構造の電柱切断機を提供する。【解決手段】回転刃１３が電柱に押付けられることによって電柱を切断するカッター工具１０と、カッター工具に取付けられ、回転刃の切断縁を残して回転刃を覆い、切断の粉塵を電柱から離れる方向に排気するカバー１４Ａ、１４Ｂと、カッター工具の下方に間隔をあけて取付けられ、基部が相互に回転自在に軸支され、電柱に抱きつくことによって保持される一対のアーム２０、２１とを備える。さらに、上面が封止された軸受と封止部材を貫通する取付け軸とによってアームの先端部及び基部近傍に回転自在に支持され、一対のアームのガイドローラが回転刃に対して電柱背面側にて電柱に接触され、カッター工具を電柱廻りに案内するガイドローラ３０を備える。【選択図】図１
0003181319.tif 000002
【実用新案登録請求の範囲】
【請求項１】
回転刃（１３）が電柱（５０、５１）に押付けられることによって電柱（５０、５１）を切断するカッター工具（１０）と、
該カッター工具（１０）に取付けられ、上記回転刃（１３）の切断縁（１３Ａ）を残して上記回転刃（１３）を覆い、切断の粉塵を電柱から離れる方向に排気するカバー（１４Ａ、１４Ｂ）と、
上記カッター工具（１３）の下方に間隔をあけて取付けられ、基部が相互に回転自在に軸支され、電柱（５０、５１）に抱きつくことによって保持される一対のアーム（２０、２１）と、
上面が封止部材（３３）によって封止された軸受（３１）と封止部材（３３）を貫通する取付け軸（３２）とによって上記一対のアーム（２０、２１）の先端部及び基部近傍に回転自在に支持され、上記一対のアーム（２０、２１）のガイドローラが上記回転刃（１３）に対して電柱背面側にて電柱（５０、５１）に接触され、上記カッター工具（１０）を電柱廻りに案内する少なくとも３つのガイドローラ（３０）と、
を備えたことを特徴とする電柱切断機。
【請求項２】
上記カッター工具（１０）がエアー駆動されるエアーカッター工具である請求項１記載の電柱切断機。
【請求項３】
上記上記アーム（２０、２１）のガイドローラ（３０）が上記アーム（２０、２１）に沿ってスライドし得るように軸支されている請求項１記載の電柱切断機。
【考案の詳細な説明】
【技術分野】
【０００１】
本考案は電柱切断機に関し、特に切断の粉塵によって動作不良が構造的に発生し難くした切断機に関する。
【背景技術】
【０００２】
電柱を交換したり移設する場合、設置済みの電柱を撤去する必要がある。従来、クレーンで電柱を引き抜く方法が採用されていた。しかし、家屋が密集した場所では引き抜き工法は採用し難いことから、電柱を切断して撤去する方法が採用される傾向にある。
【０００３】
例えば、エアーカッター工具に、複数のリンクの間にローラを介在させてなるホルダーを取付け、ホルダーを電柱に掛け廻して抱きつかせ、エアーカッター工具を電柱廻りに旋回させながら電柱を切断するようにした電柱切断機が提案されている（特許文献１）。
【先行技術文献】
【特許文献】
【０００４】
【特許文献１】実用新案登録第３１６５５６４号公報
【考案の開示】
【考案が解決しようとする課題】
【０００５】
しかし、上記特許文献１記載の電柱切断機では切断刃の切断縁近くにローラがあったので、切断の粉塵がローラ内に入り込んでローラが回転し難くなり、動作不良を起こすことがあるという問題があった。
【０００６】
本考案はかかる問題点に鑑み、切断の粉塵によって動作不良が発生し難い構造の電柱切断機を提供することにある。
【課題を解決するための手段】
【０００７】
そこで、本考案に係る電柱切断機は、回転刃が電柱に押付けられることによって電柱を切断するカッター工具と、該カッター工具に取付けられ、上記回転刃の切断縁を残して上記回転刃を覆い、切断の粉塵を電柱から離れる方向に排気するカバーと、上記カッター工具の下方に間隔をあけて取付けられ、基部が相互に回転自在に軸支され、電柱に抱きつくことによって保持される一対のアームと、上面が封止部材によって封止された軸受と上記封止部材を貫通する取付軸とによって上記一対のアームの先端部及び基部近傍に回転自在に支持され、上記一対のアームのガイドローラが上記回転刃に対して電柱背面側にて電柱に接触され、上記カッター工具を電柱廻りに案内するガイドローラと、を備えたことを特徴とする。
【０００８】
本考案の特徴の１つは切断刃の切断縁から下方に離れた位置にガイドローラを設けるようにした点にある。これにより、切断の粉塵がガイドローラに入り込み難くなる。
【０００９】
本考案の第２の特徴はアームの先端部のガイドローラを切断刃に対して電柱背面側に位置させるようにした点にある。これにより、アーム先端側のガイドローラには切断の粉塵が廻り込み難くなる。
【００１０】
本考案の第３の特徴はガイドローラを、上面が封止された軸受と封止部材を貫通した取付け軸とによって軸支するようにした点にある。これにより、各ガイドローラには切断の粉塵が侵入し難くなる。
【００１１】
その結果、ガイドローラの動作を長期にわたって保証でき、電柱切断機の動作信頼性を大幅に向上できる。
【００１２】
カッター工具は電動カッター工具でもよいが、雨天での電柱切断作業を考慮すると、エアー駆動されるエアーカッター工具を採用するのがよい。
【００１３】
電柱には大径の電柱から、小径の電柱まである。電柱切断機は径毎の専用の電柱切断機としてもよいが、コスト高になる。そこで、一対のアームのガイドローラはアームに沿ってスライドし得るように軸支して構成すると、電柱の太さに応じてガイドローラをセットできるので、１種類の電柱切断機で対応できる。
【図面の簡単な説明】
【００１４】
【図１】本考案に係る電柱切断機の好ましい実施形態を示す概略平面図である。
【図２】カバーを除いた図１のＡ矢視図である。
【図３】カバーを除いた図１のＢ矢視図である。
【図４】上記実施形態におけるガイドローラを示す断面図である。
【図５】動作を説明するための図である。
【考案を実施するための形態】
【００１５】
以下、本考案を図面に示す具体例に基づいて詳細に説明する。図１ないし図５は本考案の電柱切断機の好ましい実施形態を示す。図において、エアーカッター工具１０にはエアーコンプレッサー（図示せず）から延びるホース１１が接続され、エアーカッター工具１０には取付け軸１２の廻りに回転刃、例えばダイヤモンドカッター１２が取付けられている。
【００１６】
この回転刃１２は左右のカバー１４Ａ、１４Ｂによって回転刃１３の切断縁１３Ａを残して覆われ、カバー１４Ａには排気口１４Ｃが形成され、切断の粉塵を電柱から離れる方向に排気するようになっている。なお、排気はフィルターを備えた吸引装置によって吸引するようにしてもよい。
【００１７】
このエアーカッター工具１０のケースには第１のアーム２１が回転可能に取付けられ、第１のアーム２１の基部には第２のアーム２２の基部が回転軸２２によって相互に回転自在に連結され、第１、第２のアーム２０、２１が電柱に抱きつくようになっている。
【００１８】
この第１、第２のアーム２０、２１の先端部には第３のアーム２３が取付け部材２５によって取付けられ、取付け部材２５は固定・弛緩可能に設けられ、第１、第２のアーム２０、２１に形成された長溝２４に沿ってスライド可能に設けられ、第３のアーム２３の先端部にはガイドローラ３０が軸受３１と取付け軸３２とナット３４によって回転自在に取付けられ、軸受３１は上面を封止部材３３によって封止され、取付け軸３２は封止部材３３を貫通し、ナット３４が螺合されており、第１、第２のアーム２０、２１の先端側のガイドローラ３０は回転刃１３に対して電柱の背面側に接触するようになっている。
【００１９】
また、第２のアーム２１の基部側にはガイドローラ３０が上記と同様に、軸受、取付け軸、ナット及び封止部材によって回転自在に取付けられ、軸受は上面を封止部材によって封止され、取付け軸は下方から差し込まれて封止部材を貫通している。
【００２０】
ここで、第１、第２のアーム２０、２１は回転軸２に巻装されたコイルばね（図示せず）によって相互に接近する方向に付勢され、ねじ４１によって付勢力を調整し得るように設けられ、エアーカッター工具１０の回転刃１３はコイルばね４０によって第１のアーム２０に対して電柱に接近する方向に付勢されている。
【００２１】
電柱５０を切断する場合、図４に示されるように、第３のアーム２３の位置を調整して第１、第２のアーム２０、２１を電柱５０に抱きつかせると、第１、第２のアーム２０、２１の先端側及び第２のアーム２１の基部側のガイドローラ３０が電柱５０に押しつけられ、第１、第２のアーム２０、２１はコイルばねの付勢力によって電柱５０に抱きついた状態に保持される。
【００２２】
次に、エアーカッター工具１０に高圧エアーを供給し、回転刃１３は回転させるが、回転刃１３はコイルばね４０の付勢力によって電柱５０に押し付けられているので、回転刃１３は電柱５０に沿って旋回しながら電柱５０を切断していく。切断の粉塵は第１のカバー１４Ａの排気口１４Ｃから電柱５０から離れる方向に排気される。
【００２３】
このとき、切断刃１３の切断縁１３Ａから下方に離れた位置に３つのガイドローラ３０が設けられているので、切断の粉塵がガイドローラ３０に入り込み難くなる。
【００２４】
また、第１、第２のアーム２０、２１の先端部のガイドローラ３０が切断刃１３に対して電柱５０背面側に位置しているので、アーム２０、２１先端側のガイドローラ３０には切断の粉塵がほとんど廻り込まない。
【００２５】
さらに、ガイドローラ３０を、上面が封止された軸受３１、封止部材３３を貫通した取付け軸３２及びナット３４によって軸支するようにしたので、３つのガイドローラ３０は切断刃１３から見たときに実質的に密封され、内部には切断の粉塵が侵入し難くなる。
【００２６】
その結果、ガイドローラ３０の動作を長期にわたって保証でき、電柱切断機の動作信頼性を大幅に向上できる。
【００２７】
小径の電柱５１を切断する場合、第３のアーム２３の位置を長溝２４の第１、第２のアーム２０、２１の基部側にスライドさせて固定すればよく、後は上記と同様にして電柱５１を切断すればよい。
【符号の説明】
【００２８】
１０      エアーカッター工具
１３      回転刃
２０      第１のアーム
２１      第２のアーム
３０      ガイドローラ
３１      軸受
３２      取付け軸
３３      封止部材
３４      ナット
５０      電柱
【図１】
0003181319.tif 000003
【図２】
0003181319.tif 000004
【図３】
0003181319.tif 000005
【図４】
0003181319.tif 000006
【図５】
0003181319.tif 000007